(57)【要約】【課題】円盤状の天板と三本の脚とを構成要素とするテーブルにおいて、天板の折り畳み領域を広く設定する際のテーブルの安定化技術を提供する。【解決手段】テーブル１は、天板１１の裏面に三本の脚１３，１４，１５が立設された構成にされている。天板１１は、第一の天板構成体１１１と第二の天板構成体１１２とが天板１１の裏面において蝶番１１３により連結された円盤形状に構成されており、天板１１の外周を弧とする円の中心から外れた位置に折線Ｌを有する。即ち、天板１１は、第二の天板構成体１１２を下方に折り畳むことが可能な構成にされている。一方、脚１３，１４，１５は、第一の天板構成体１１１の裏面において、天板１１の外周を弧とする円と同一中心の同心円上に立設され、天板１１の裏面と脚１３，１４，１５との接続地点を結んでなる三角形が非正三角形であって二等辺三角形となるように配置されている。【選択図】図３
2011115539.tif 000002
【特許請求の範囲】
【請求項１】
円盤状の天板と、
前記天板の裏面に立設されて前記天板を下方から支持する三本の脚と、
を備えるテーブルであって、
前記天板は、一部を折り畳み可能な構成にされ、当該天板の外周を弧とする円の中心から外れた位置に折線を有した構成にされており、
前記三本の脚の夫々は、前記折線を境界として分割される前記天板の各部位の内、前記天板の外周を弧とする円の中心が属する部位の裏面で、前記天板の外周を弧とする円と同一中心の同心円上に立設され、前記天板の裏面と前記三本の脚との接続地点を結んでなる三角形が非正三角形となるように配置されていること
を特徴とするテーブル。
【請求項２】
前記三本の脚の夫々は、前記天板の裏面と前記三本の脚との接続地点を結んでなる三角形の一辺が前記折線に平行となるように配置されていること
を特徴とする請求項１記載のテーブル。
【請求項３】
前記三本の脚の夫々は、前記天板の裏面と前記三本の脚との接続地点を結んでなる三角形が、非正三角形且つ二等辺三角形となるように配置されていること
を特徴とする請求項１又は請求項２記載のテーブル。
【請求項４】
前記三本の脚の夫々は、前記天板の裏面と前記三本の脚との接続地点を結んでなる三角形が、非正三角形且つ二等辺三角形となり、前記二等辺三角形の他の辺とは長さの異なる底辺が前記折線に平行となるように配置されていること
を特徴とする請求項１〜請求項３のいずれかに記載のテーブル。
【請求項５】
前記天板の表面側にモニタを保持するアームであって、モニタとの接続端部とは反対側の端部に回転軸を有し、前記折線を境界として分割される前記天板の各部位の内、前記天板の外周を弧とする円の中心が属する前記三本の脚が接続される前記天板の部位で、前記天板に対して上方に回動可能に設けられたアーム
を備え、
前記テーブルは、前記アームの回動により、前記アームに接続された前記モニタとしての特定モニタを前記天板の折り畳み可能な部位に配置可能、且つ、前記特定モニタを前記三本の脚が接続された前記天板の部位の上方に跳ね上げ可能な構成にされていること
を特徴とする請求項１〜請求項４のいずれか一項に記載のテーブル。
【請求項６】
前記天板の表面側に、
前記天板の裏面と前記三本の脚との接続地点を結んでなる三角形の各辺に対応する位置に設けられた三つのモニタと、
前記三つのモニタの内、前記三角形の前記折線に平行な辺に対応する位置に設けられた特定モニタに接続され、前記特定モニタとの接続端部とは反対側の端部に回転軸を有し、前記折線を境界として分割される前記天板の各部位の内、前記天板の外周を弧とする円の中心が属する前記三本の脚が接続された前記天板の部位で、前記天板に対して上方に回動可能に設けられたアームと、
を備え、
前記テーブルは、前記アームの回動により、前記特定モニタを前記天板の折り畳み可能な部位に配置可能、且つ、前記特定モニタを前記三本の脚が接続された前記天板の部位の上方に跳ね上げ可能な構成にされていること
を特徴とする請求項２又は請求項４記載のテーブル。
【請求項７】
前記天板は、前記折線を境界として分割される前記天板の各部位の内、前記天板の外周を弧とする円の中心が属する前記三本の脚が接続された部位において、前記特定モニタに接続される情報処理装置を収納するためのボックスを備え、
前記アームの前記特定モニタとの接続端部とは反対側の端部は、前記ボックスに接続され、
前記ボックスは、前記アームの前記特定モニタとの接続端部とは反対側の端部が接続される部位に隣接した領域に、前記特定モニタから延びるケーブルを前記ボックス内に配線するための貫通孔としてのボックス貫通孔を備え、
前記特定モニタから延びるケーブルは、前記ボックス貫通孔を通じて前記ボックス内に配線され、前記情報処理装置に接続されること
を特徴とする請求項５又は請求項６記載のテーブル。
【請求項８】
前記ボックスは、天板本体に固定される第一のボックス構成体と、前記第一のボックス構成体に脱着可能な第二のボックス構成体と、を備えた構成にされ、
前記ボックス貫通孔は、前記第一のボックス構成体への前記第二のボックス構成体の装着時に前記第一のボックス構成体と前記第二のボックス構成体との境界に形成される空隙によって構成されること
を特徴とする請求項７記載のテーブル。
【請求項９】
前記アームは、周囲から上方に突出した前記ボックスの屋根部分に接続され、前記ボックスの上面に近づく方向に最大限回動された状態では、前記ボックスに支持されて、前記特定モニタを所定位置に保持するように設けられ、
前記アーム及び前記ボックスの少なくとも一方は、前記アームが前記ボックスに支持された状態で、前記アームの前記ボックスの上面との対向面と前記ボックスの上面との間に、前記特定モニタから前記ボックス貫通孔に至るまでのケーブル配線に用いられる空隙を形成するための空隙形成体を備える構成にされていること
を特徴とする請求項７又は請求項８記載のテーブル。
【請求項１０】
前記空隙形成体は、前記ボックスが上面に備える弾性を有する突起によって構成されていること
を特徴とする請求項９記載のテーブル。
【請求項１１】
前記アームは、前記特定モニタとの接続端部周辺に、前記特定モニタから延びるケーブルを、前記空隙形成体によって形成される前記空隙まで配線するための貫通孔であるアーム貫通孔を備え、
前記特定モニタから延びるケーブルは、前記アーム貫通孔に挿通されて配線されること
を特徴とする請求項９又は請求項１０記載のテーブル。
【請求項１２】
前記アームは、前記特定モニタとの接続端部周辺に、前記特定モニタから延びるケーブルの動きを制限するための貫通孔であるアーム貫通孔を備え、
前記特定モニタから延びるケーブルは、前記アーム貫通孔に挿通されて配線されること
を特徴とする請求項５〜請求項１０のいずれか一項に記載のテーブル。
【請求項１３】
前記アームは、前記特定モニタとの接続端部に、前記特定モニタの表示面の角度を調整可能な調整機構を備えることを特徴とする請求項１１又は請求項１２記載のテーブル。
【請求項１４】
前記天板は、前記折線を境界として分割される前記天板の各部位の内、前記天板の外周を弧とする円の中心が属する前記三本の脚が接続された部位において、前記特定モニタに接続される情報処理装置を収納するための周囲から上方に突出したボックスを備え、
前記アームは、前記特定モニタとの接続端部とは反対側の端部が前記ボックスの屋根に接続され、前記ボックスの上面に近づく方向に最大限回動された状態では、前記ボックスに支持されて、前記特定モニタを所定位置に保持するように設けられ、
前記ボックスは、上面に前記アームを収容するための凹部を有した構成にされ、
前記凹部は、前記アームが前記ボックスの上面に近づく方向に最大限回動された状態で、前記アームの前記ボックスの上面と対向する面とは反対側の面が、前記凹部周囲における前記ボックスの上面と同じ平面上に配置されるように形成されていること
を特徴とする請求項５又は請求項６記載のテーブル。
【請求項１５】
前記天板は、前記折線を境界として分割される前記天板の各部位の内、前記天板の外周を弧とする円の中心が属する前記三本の脚が接続された部位において、前記特定モニタに接続される情報処理装置を収納するための周囲から上方に突出したボックスを備え、
前記アームは、前記特定モニタとの接続端部とは反対側の端部が前記ボックスの屋根に接続され、前記ボックスの上面に近づく方向に最大限回動された状態では、前記ボックスに支持されて、前記特定モニタを前記ボックス周囲の天板表面から所定高さの位置に保持し、
この保持によって、前記特定モニタと前記ボックス周囲の天板表面との間には、一定量以上の空隙が確保されること
を特徴とする請求項５又は請求項６記載のテーブル。
【請求項１６】
前記天板は、前記折線を境界として分割される前記天板の各部位の内、前記天板の外周を弧とする円の中心が属する前記三本の脚が接続された部位において、前記特定モニタに接続される情報処理装置を収納するための周囲から上方に突出したボックスを備え、
前記アームは、前記特定モニタとの接続端部とは反対側の端部が前記ボックスの屋根に接続され、前記ボックスの上面に近づく方向に最大限回動された状態では、前記ボックスに支持されて、前記特定モニタを前記ボックス周囲の天板表面から所定高さの位置に保持し、
前記特定モニタ以外の前記各モニタは、前記ボックスの側面に接続され、前記ボックス周囲の天板表面から所定高さの位置に保持され、
これらの保持により、前記特定モニタを含む前記各モニタと前記ボックス周囲の天板表面との間には、一定量以上の空隙が確保されること
を特徴とする請求項６記載のテーブル。
【請求項１７】
前記天板は、単一の前記折線を有し、この折線に対応する単一箇所で折り畳み可能な構成にされていること
を特徴とする請求項１〜請求項１６のいずれかに記載のテーブル。
【請求項１８】
前記天板は、複数の前記折線を有し、各折線に対応する複数箇所で折り畳み可能な構成にされていること
を特徴とする請求項１〜請求項１６のいずれかに記載のテーブル。
【発明の詳細な説明】
【技術分野】
【０００１】
本発明は、テーブルに関する。
【背景技術】
【０００２】
従来、天板を折り畳み可能なテーブルが知られている（例えば、特許文献１，２参照）。また、三人掛け用のテーブルとしては、円盤状の天板に三本の脚が接続されてなる円卓が知られている。
【０００３】
三本脚の円卓では、三本の脚と天板裏面との接続地点を結んでなる三角形が天板の円中心と一致する重心を有する正三角形となるように、各脚を天板の裏面に接続することで、テーブルを安定化させることが行われている。
【先行技術文献】
【特許文献】
【０００４】
【特許文献１】特開２００４−２９０３３４号公報
【特許文献２】実開平０３−０１６４２７号公報
【発明の概要】
【発明が解決しようとする課題】
【０００５】
しかしながら、三本の脚と天板裏面との接続地点Ｐ１，Ｐ２，Ｐ３を結んでなる三角形Ｔｒ（図１９参照）が天板の円中心Ｏと一致する重心を有する正三角形となるように、三本の脚を配置してテーブルを安定化させる従来手法では、天板を折り畳み可能とする際に、次のような問題があった。
【０００６】
即ち、折り畳み時のテーブルをコンパクトにするために、折り畳むことのできる天板の面積を広く設定すると、図１９下段に示すように、脚を接続する天板の面積が狭くなることから、三本の脚の間隔が短くなり、三角形Ｔｒが天板の円中心Ｏと一致する重心を有する正三角形となるよう三本の脚を配置しても、テーブルを安定化させることが難しいといった問題があった。
【０００７】
本発明は、こうした問題に鑑みなされたものであり、円盤状の天板と三本の脚とを構成要素とするテーブルを、天板における折り畳み可能な領域が広くなるように構成する際に、従来よりもテーブルを安定させることが可能な技術を提供することを目的とする。
【課題を解決するための手段】
【０００８】
かかる目的を達成するためになされた本発明のテーブルは、円盤状の天板裏面に、天板を下方から支持する三本の脚が立設されたものであって、脚の配置に特徴を有するものである。このテーブルは、天板の一部が折り畳み可能に構成されている。
【０００９】
天板は、当該天板の外周を弧とする円の中心から外れた位置に、線状の折れ目である折線を有する。そして、三本の脚の夫々は、折線を境界として分割される天板の各部位の内、天板の外周を弧とする円の中心が属する部位の裏面に立設されている。
【００１０】
特に、本発明のテーブルでは、上記三本の脚の夫々が、天板の外周を弧とする円と同一中心の同心円上に立設されており、天板の裏面と三本の脚との接続地点を結んでなる三角形が非正三角形となるように配置されている。
【００１１】
このように、本発明では、天板の裏面と三本の脚との接続地点を結んでなる三角形を正三角形とせずに、三本の脚の夫々を天板の外周を弧とする円と同一中心の同心円上に立設して、テーブルの安定化を図っている。従って、天板の裏面と三本の脚との接続地点を結んでなる三角形を正三角形とする場合よりも、折線の位置に合わせて脚を適切に配置することができ、隣り合う脚の間隔を広くすることができる。
【００１２】
従って、本発明によれば、脚と脚との間隔が狭すぎることに起因してテーブルが不安定になるのを抑えることができ、テーブルを天板における折り畳み可能な領域が広くなるように構成する際に、三本の脚を正三角形に配置する従来手法よりもテーブルを安定させることができる。
【００１３】
そして、三本の脚の夫々を、天板の外周を弧とする円と同一中心の同心円上に立設すれば、天板の縁から脚までの距離が三本の脚のいずれにおいても同じになるので、ユーザの位置によってユーザの足がテーブルの脚に当りやすく使い辛いといった問題が生じるのを抑えることができる。
【００１４】
ところで、三本の脚の夫々は、天板の裏面と三本の脚との接続地点を結んでなる三角形の一辺が折線に平行となるように配置されるのが好ましい。このように脚を配置すれば、隣り合う脚の間隔を適切に確保しつつ、同心円上に脚を配置してテーブルの安定化を図ることができる。
【００１５】
また、三本の脚の夫々は、天板の裏面と三本の脚との接続地点を結んでなる三角形が非正三角形且つ二等辺三角形となるように配置されるのが好ましく、付言すれば、三本の脚の夫々は、二等辺三角形の他の辺とは長さの異なる底辺が折線に平行となるように配置されるのが好ましい。
【００１６】
天板の裏面と三本の脚との接続地点を結んでなる三角形が、二等辺三角形となり、二等辺三角形の他の辺とは長さの異なる底辺が折線に平行となるように、三本の脚を配置すれば、ユーザが天板の一部を折り畳むことで三人掛けテーブルを二人掛けテーブルにした際に、テーブルの脚の間隔を二つの席で同じとすることができ、ユーザの使い勝手がよい。
【００１７】
また、近年ではパーソナルコンピュータの普及に伴い、テーブルにモニタを設置することが多くなってきているが、テーブルにモニタを設置する場合の利便性を考慮すれば、次のようにテーブルを構成するのが好ましい。即ち、モニタ設置時の利便性を向上させることを目的とすれば、テーブルは、天板の表面側にモニタを保持するアームであって、モニタとの接続端部とは反対側の端部に回転軸を有して、天板に対して上方に回動可能なアームを備えた構成にされるのが好ましい。
【００１８】
具体的に、アームは、折線を境界として分割される天板の各部位の内、天板の外周を弧とする円の中心が属する三本の脚が接続される天板の部位で、天板に対して上方に回動可能に設けられるのが好ましい。更に言えば、アームの回動により、アームに接続されたモニタ（以下、「特定モニタ」とも表現する。）を天板の折り畳み可能な部位に配置可能、且つ、このモニタを三本の脚が接続された天板の部位の上方に跳ね上げ可能に、テーブルを構成するのが好ましい。
【００１９】
このテーブルによれば、天板が折り畳まれる位置でモニタを利用可能であり、更には、アームの回動によりモニタを移動させることができるので、テーブルの折り畳み時にモニタを跳ね上げて、モニタがテーブルから突出した状態にならないようにすることができる。従って、本発明によれば、例えば、天板を折り畳んで搬送する際に狭いドアでモニタが引っ掛かってしまうといった問題が生じるのを抑えることができて、利便性の高いテーブルを提供することができる。
【００２０】
この他、テーブルには、天板の裏面と三本の脚との接続地点を結んでなる三角形の各辺に対応する天板表面側の位置に、モニタを設けることも可能である。このように各辺に対応して三つのモニタを設ける場合には、上記三角形の折線に平行な辺に対応する位置に設置するモニタに対して上記構成のアームを設けて、この特定モニタを、天板の折り畳み可能な部位に配置可能、且つ、三本の脚が接続された天板の部位の上方に跳ね上げ可能に、テーブルを構成するのが好ましい。
【００２１】
このようにテーブルを構成すれば、天板が折り畳まれていないときには、三人分の各席でユーザがモニタを利用することができ、天板が折り畳まれたときには、特定モニタを跳ね上げて、天板の折線部分からモニタが突出しないようにすることができる。即ち、この発明によれば、モニタを設置しても、折り畳み時のテーブルをコンパクトな構成とすることができて、テーブルの利便性が向上する。
【００２２】
この他、モニタをテーブルに設置する場合には、モニタを通じて各種情報を表示する情報処理装置の設置場所が必要になるケースもあるので、天板は、折線を境界として分割される天板の各部位の内、天板の外周を弧とする円の中心が属する上記三本の脚が接続される部位において、モニタに接続される情報処理装置を収納するためのボックスを備えた構成にされるのがよい。例えば、ボックスは、天板の裏面と三本の脚との接続地点を結んでなる三角形の内側領域に設けることができる。
【００２３】
また、天板にボックスを設ける場合には、アームのモニタとの接続端部とは反対側の端部をボックスに接続して、アームを取り付けることができる。
更に言えば、上記ボックスは、アームのモニタとの接続端部とは反対側の端部が接続される部位に隣接した領域に、このモニタから延びるケーブルをボックス内に配線するための貫通孔であるボックス貫通孔を備えた構成にされると好ましい。換言すると、モニタから延びるケーブルは、ボックス貫通孔を通じてボックス内に配線されて、情報処理装置に接続されると好ましい。
【００２４】
このように、アームの回転軸周辺に貫通孔を設けてケーブルを貫通孔に通せば、アームの回転によってケーブルが大きく動くのを抑えることができる。従って、ケーブルがアームに絡まるのを抑えることができ、ケーブルが大きく動くことによって、モニタ又は情報処理装置とケーブルとの接触不良が生じるのを抑えることができる。
【００２５】
また、ボックスは、天板本体に固定される第一のボックス構成体と、第一のボックス構成体に脱着可能な第二のボックス構成体と、を備えた構成にされ、ボックス貫通孔は、第一のボックス構成体への第二のボックス構成体の装着時に第一のボックス構成体と第二のボックス構成体との境界に形成される空隙によって構成されるのが好ましい。
【００２６】
このようにボックスを構成すれば、一旦、第二のボックス構成体を第一のボックス構成体から取り外し、情報処理装置に接続されるケーブルを第一のボックス構成体と第二のボックス構成体との間に挟むようにして、第二のボックス構成体を第一のボックス構成体に装着する程度で、ケーブルを簡単にボックス貫通孔に収めることができる。
【００２７】
また、ボックスは、周囲から上方に突出するようにして天板に備えることができ、アームは、このボックスの屋根（トップ）に接続することができる。更に言えば、このアームについては、ボックスの上面に近づく方向に最大限回動された状態では、ボックスに支持されて、特定モニタを所定位置に保持するような構成でテーブル内に設けることができる。この構成によれば、重いモニタを安定して所定位置（使用時の位置）に配置することができる。
【００２８】
また、このようにアームを設ける場合には、アームがボックスに支持された状態で、アームとボックス上面との間に空隙が形成されるようにテーブルを構成するのがよい。
即ち、アーム及びボックスの少なくとも一方は、「アームがボックスに支持された状態で、アームのボックスの上面との対向面とボックスの上面との間に、特定モニタからボックス貫通孔に至るまでのケーブル配線に用いられる空隙を形成するための空隙形成体」を備えた構成にされるのが好ましい。このように配線のための空隙を設ければ、アームとボックス上面との間に、ケーブルを目立たないように収容することができると共に、ケーブルに強い力が加わってケーブルが傷つくのを抑えることができる。
【００２９】
また、空隙形成体については、アームに溝を設けたり、ボックスにアームと接触する突起を設けたりすることにより、アーム及びボックスの上面の少なくとも一方に備えることができる。更に言えば、空隙形成体は、ボックスが上面に備える弾性を有する突起によって構成されるのが好ましい。
【００３０】
このように、弾性の突起を設ければ、アームをボックスの上面に近づく方向に回転させて、モニタを使用時の位置に配置するときに、アームと空隙形成体とが接触して、大きな音や振動が生じたりするのを抑えることができる。即ち、弾性体を用いることで、接触時の衝撃を抑えることができる。
【００３１】
また、アームは、当該アームに接続されるモニタとの接続端部周辺に、このモニタから延びるケーブルを、空隙形成体によって形成される空隙まで配線するための貫通孔であるアーム貫通孔を備えた構成にされるのが好ましい。即ち、モニタから延びるケーブルは、アーム貫通孔に挿通されて配線されるのが好ましい。
【００３２】
このようにアーム貫通孔を設ければ、配線を綺麗に行うことができる。また、アーム貫通孔にケーブルを通せば、ケーブルの動きを制限することができるので、ケーブルが動くことによって、ユーザが不快に感じたり、ケーブルの接触不良が生じたりするのを抑えることができる。
【００３３】
特に、アームが、モニタとの接続端部に、このモニタの表示面の角度を調整可能な調整機構を備える場合には、アーム貫通孔を設けることで、モニタの角度調整に伴いケーブルが大きく動くのを抑えることができる。この点について言及すれば、アーム貫通孔については、空隙形成体の有無に依らず、モニタから延びるケーブルの動きを制限する目的で、モニタとの接続端部周辺に設けることができる。
【００３４】
また、上記ボックスは、上面にアームを収容するための凹部を有した構成にされるのが好ましい。詳述すれば、凹部は、アームがボックスの上面に近づく方向に最大限回動された状態で、アームのボックスの上面と対向する面とは反対側の面が、凹部周囲におけるボックスの上面と同じ平面上に配置されるように構成されるのが好ましい。このように、凹部を構成すれば、アーム収容時に、ボックスの上部が平らになり、この部分に物を置いたりすることができて、便利である。
【００３５】
この他、アームは、ボックスの上面に近づく方向に最大限回動された状態では、ボックスに支持されて、特定モニタをボックス周囲の天板表面から所定高さの位置に保持するように構成されると好ましい。このようにして、モニタとボックス周囲の天板表面との間に一定量以上の空隙が確保されるようにすれば、この空隙にキーボードを設置するなどして、天板を有効活用することができる。
【００３６】
また、上述したようにモニタを三つ設ける場合には、アームに接続される特定モニタ以外の各モニタを、ボックスの側面に接続して、ボックス周囲の天板表面から所定高さの位置に保持するように、テーブルを構成するのが好ましい。この構成によれば、各モニタとボックス周囲の天板表面との間には、一定量以上の空隙が確保されるので、各モニタ周辺において上記空隙にキーボード等を設置することができて、天板を有効活用することができる。
【００３７】
また、上述したテーブルにおいて、天板は、単一の折線を有し、この折線が設けられた単一箇所で折り畳み可能な構成にされてもよいし、複数の折線を有し、これらの折線が設けられた複数箇所で折り畳み可能な構成にされてもよい。複数箇所で折り畳み可能すれば、テーブルの未使用時に、当該テーブルをコンパクトに畳んで保管することができ、オフィス空間を有効活用することができる。また、テーブルを搬送する際に、ドア等の狭い空間においてもテーブルを楽に通すことができるといった利点がある。
【図面の簡単な説明】
【００３８】
【図１】テーブル１の斜視図である。
【図２】テーブル１の上面図（ａ）及び側面図（ｂ）である。
【図３】テーブル１の底面図である。
【図４】天板１１の一部が折り畳まれた状態でのテーブル１の斜視図である。
【図５】天板１１の一部が折り畳まれた状態でのテーブル１の側面図である。
【図６】テーブル１における脚１３，１４，１５の位置関係を説明した図である。
【図７】テーブル２の斜視図である。
【図８】テーブル２の上面図（ａ）及び側面図（ｂ）である。
【図９】跳ね上げ機構に関する説明図である。
【図１０】天板１１の一部が折り畳まれた状態でのテーブル２の斜視図である。
【図１１】天板１１の一部が折り畳まれた状態でのテーブル２の側面図である。
【図１２】テーブル３の斜視図（ａ）及び上面図（ｂ）である。
【図１３】モニタ固定台３０の構成を表す説明図である。
【図１４】アーム３５が跳ね上げられた状態でのテーブル３の側面図である。
【図１５】アーム３５，３６周辺の拡大図である。
【図１６】アーム３５が空隙形成体３２２ａ，３２２ｂに接触した状態でのアーム３５周辺の断面図である。
【図１７】アーム３５の詳細構成を表す図である。
【図１８】テーブル４の構成を示した概略底面図である。
【図１９】従来技術に関する説明図である。
【発明を実施するための形態】
【００３９】
以下に本発明の実施例を、図面と共に説明する。
＜第一実施例＞
図１〜図３に示すように、本実施例のテーブル１は、天板１１と、天板１１の裏面に設けられた収納箱１２と、天板１１の裏面に立設されて天板１１を下方から支持する三本の脚１３，１４，１５と、天板１１表面に設けられたモニタ固定台１６と、モニタ固定台１６に取り付けられた三つのモニタ１７，１８，１９と、を備える。
【００４０】
天板１１は、円盤状の板材で折り畳み可能に構成されており、天板１１の外周を弧とする円の中心から外れた位置に線状の折れ目である折線Ｌを有する。即ち、天板１１は、折線Ｌを境界として分割された構成にされている。具体的に、天板１１は、第一の天板構成体１１１と第二の天板構成体１１２とにより円盤形状に構成され、第一の天板構成体１１１と第二の天板構成体１１２とが天板１１の裏面において蝶番１１３により連結された構成にされている。
【００４１】
この構成により、天板１１は、第二の天板構成体１１２を、第一の天板構成体１１１に対して下方に折り畳み可能に構成されている。ここでは、折線Ｌを境界として分離される天板１１の構成部位の内、天板１１の外周を弧とする円の中心が属する部位を、第一の天板構成体１１１と称し、円の中心から外れた部位を、第二の天板構成体１１２と称する。
【００４２】
また、天板１１を構成する第一の天板構成体１１１の裏面には、収納箱１２が設けられている。収納箱１２は、中空の三角柱形状にされ、底面１２１に、電源コードを取り出すための孔１２３を備える。
【００４３】
この収納箱１２は、天板１１の表面側で収納箱１２に対応する位置に設けられるモニタ固定台１６と共に、モニタ１７，１８，１９に接続されるパーソナルコンピュータ（図示せず）を収納するための内部空間を形成する。孔１２３からは、この内部空間に設けられた図示しないコンセント及びモニタ固定台１６に設けられたコンセント１６１から延設された電源コード（図示せず）が外部に取り出される。テーブル１に設置されるモニタ１７，１８，１９及びパーソナルコンピュータの夫々には、この電源コードを通じて電源が供給される。
【００４４】
尚、パーソナルコンピュータを収納するための内部空間については、例えば、モニタ固定台１６に底を設けず、収納箱１２に屋根を設けず、第一の天板構成体１１１を、収納箱１２及びモニタ固定台１６が取り付けられる部位に孔を有した構成にし、これらを組み合せることによって形成することができる。
【００４５】
そして、第一の天板構成体１１１に設けた孔の形状に対応した仕切を設けて、孔に仕切を装着可能なようにテーブル１を構成すれば、上記内部空間を多層に構成することができて、内部空間に複数台のパーソナルコンピュータを効率的に収納することができる。ちなみに、仕切を設ける場合には、モニタ固定台１６から収納箱１２に連通する孔（図示せず）を仕切に設ける。モニタ１７，１８，１９への画像信号入力用のケーブル（以下、「信号入力用ケーブル」と称する。）等を、この孔を通じて収納箱１２に収納されたパーソナルコンピュータとモニタ１７，１８，１９との間に配線するためである。
【００４６】
また、収納箱１２には、折線Ｌに平行な側面１２５に、支持材１２７が設けられており、支持材１２７は、収納箱１２の側面１２５に蝶番１２８を介して回動可能に設けられている。具体的に、支持材１２７は、収納箱１２の側面１２５に沿って延在する回転軸を中心に、天板１１の裏面に沿って図１（ｂ）に示す矢印方向に回動可能に取り付けられている。
【００４７】
この支持材１２７は、天板１１の折り畳み時には、ユーザの手動により、収納箱１２の側面１２５に接触する位置まで回動され、天板１１の非折り畳み時には、収納箱１２の側面１２５から第二の天板構成体１１２の下方を支持可能な位置まで回動される。即ち、支持材１２７は、第二の天板構成体１１２を下方から支持するために用いられ、天板１１の折り畳み時には、収納箱１２の側面１２５に接触する位置まで移動されて、第一の天板構成体１１１下方に収容される。詳細には、折線Ｌと側面１２５との隙間に収容される。
【００４８】
尚、上述した収納箱１２には、内部にパーソナルコンピュータを収納したり、このパーソナルコンピュータの電源操作を行ったりするための蓋を、支持材１２７が設けられていない側面等に設けることができる。
【００４９】
また、三本の脚１３，１４，１５の夫々は、収納箱１２と天板１１裏面との境界を構成する三角形の各頂点に対応する天板１１の裏面から、天板１１の裏面に対して垂直に立設配置されている。各脚１３，１４，１５における天板１１裏面との接続端点とは反対側の端点には、キャスタ１３１，１４１，１５１が取り付けられており、テーブル１は、キャスタ１３１，１４１，１５１によりユーザが容易に運搬可能な構成にされている。尚、脚１３，１４，１５は、天板１１表面が水平となるように、同一長さで構成されている。
【００５０】
この他、モニタ固定台１６は、収納箱１２の形状（三角形の辺）に合わせて、第一の天板構成体１１１の表面における収納箱１２に対応する位置に取り付けられている。モニタ固定台１６と収納箱１２との関係については、上述した通りであり、モニタ固定台１６は、収納箱１２に対応する位置である三本の脚１３，１４，１５と天板１１裏面との接続点を結んでできる三角形の内側領域に取り付けられている。
【００５１】
このモニタ固定台１６は、中空状の三角柱形状に構成され、第一の天板構成体１１１に対し例えば螺子止めされて、天板１１に対して着脱可能に取り付けられる。
また、上述した構成のモニタ固定台１６の各側面には、モニタ１７，１８，１９が固定具１６７，１６８，１６９を介して固定される。固定具１６７，１６８，１６９は、図２（ｂ）に示すように、モニタ１７，１８，１９の表示面の角度を調整するための調整機構を備え、この調整機構によってモニタ１７，１８，１９の表示面は、ユーザにとって好ましい角度に調整される。尚、これら固定具１６７，１６８，１６９は、モニタ固定台１６の側面に、例えば螺子止め等により、取り外し可能に固定される。
【００５２】
即ち、モニタ１７，１８，１９は、固定具１６７，１６８，１６９と共にモニタ固定台１６から取り外し可能な状態で、モニタ固定台１６に設置されている。図４は、第二の天板構成体１１２が折り畳まれた状態を表す斜視図であり、図５は、第二の天板構成体１１２が折り畳まれたのに伴い、折線Ｌに沿って配置されるモニタ１７が、固定具１６７と共に、モニタ固定台１６から取り外された様子を表す。
【００５３】
この他、モニタ固定台１６の角には、コンセント１６１が設けられており、モニタ１７，１８，１９の電源コードは、例えば、このコンセント１６１に接続される。また、モニタ固定台１６には、いくつかの孔が設けられており、これらの孔を通じてモニタ１７，１８，１９からパーソナルコンピュータへ延びるコード等は、収納箱１２内部に配線される。
【００５４】
続いて、テーブル１に特徴的な脚１３，１４，１５の配置について説明する。本実施例のテーブル１は、第一の天板構成体１１１の裏面に、天板１１を下方から支持する三本の脚１３，１４，１５が立設された構成にされている。この三本の脚１３，１４，１５は、図６に示すように、第一の天板構成体１１１の裏面において、天板１１の外周を弧とする円Ｃ１の中心Ｏと中心が同一の同心円Ｃ２上に立設され、天板１１の裏面と脚１３，１４，１５との接続地点Ｐ１３，Ｐ１４，Ｐ１５を結んでなる三角形Ｔｒが非正三角形となるように配置されている。
【００５５】
具体的には、脚１３，１４は、折線Ｌに平行な位置関係で、第一の天板構成体１１１裏面に配置され、これによって、三本の脚１３，１４，１５は、三角形Ｔｒの一辺が折線Ｌに平行な辺となるように配置されている。尚、図６には、仮に脚１３，１４，１５を正三角形となるように配置した際の脚１３，１４，１５の配置地点Ａ１３，Ａ１４，Ａ１５を×印で示す。
【００５６】
本実施例では、このように脚１３，１４，１５を、同心円Ｃ２上に非正三角状に配置することで、天板１１外周から折線Ｌまでの長さＤ０を大きく確保する際にも、脚１３，１４，１５の間隔が広くなるようにして、テーブル１を安定させることができるようにしている。更には、三角形Ｔｒの一辺が折線Ｌに平行な辺となるように脚１３，１４，１５を配置することで、脚１３，１４，１５の間隔を一層適切に確保し、更なるテーブル１の安定化を図っている。
【００５７】
長さＤ０を大きく設定して、天板１１の折り畳み量を大きく設定すると、テーブル１の利便性が向上する一方、脚１３，１４，１５を正三角状に配置したのでは、脚１３，１４，１５の間隔が短くなり、テーブル１が不安定に（倒れ易く）なってしまう（図６×印参照）。本実施例では、このような不安定なテーブル構成を回避するために、脚１３，１４，１５を、同心円Ｃ２上に非正三角状に配置しているのである。
【００５８】
このことは、図６において×印で示すように、仮に脚１３，１４，１５を正三角形となるように配置した際の脚１３，１４，１５の間隔よりも、本実施例での脚１３，１４，１５の間隔が広いことから容易に理解できる。
【００５９】
更に、本実施例では、三角形Ｔｒが二等辺三角形となるように、脚１３，１４，１５を配置することで、脚１３，１４，１５の間隔をバランスよく確保している。尚、このような条件で、脚１３，１４，１５を配置することで、テーブル１を安定化できることは、本発明者らが実験で確認している。
【００６０】
特に、本実施例では、三角形Ｔｒが「底辺が他の二辺よりも長い」二等辺三角形となるように、脚１３，１４，１５を配置している。具体的には、図６に示すように、脚１３と脚１５との間隔Ｄ１と脚１４と脚１５との間隔Ｄ２とを同じにし（Ｄ１＝Ｄ２）、脚１３と脚１４との間隔Ｄ３を、間隔Ｄ１，Ｄ２よりも長く設定している（Ｄ３＞Ｄ１＝Ｄ２）。このように脚１３，１４，１５を配置することで、脚１３，１４，１５の間隔を適切に確保している。
【００６１】
尚、本実施例のように、第二の天板構成体１１２を折り畳んだ際にも使用可能な座席に対応する脚１３，１５に挟まれた空間の長さＤ１と、脚１４，１５に挟まれた空間の長さＤ２とを同じにすると、これら二つの座席について、ユーザの着席位置によって座り心地が変わるのを回避することができ、テーブル１の利便性を向上させることができる。
【００６２】
また、本実施例では、脚１３，１４，１５を同心円Ｃ２上に配置していることから、天板１１の外縁から脚１３，１４，１５までの距離を同じにすることができる。従って、ユーザの位置によってユーザの足がテーブルの脚に当りやすく使い辛いといった問題が生じるのも抑えることができる。
【００６３】
このように、本実施例の脚１３，１４，１５の配置方法によれば、天板１１外周から折線Ｌまでの長さＤ０を大きく確保して、天板１１の折り畳み量を大きく設定する際にも、テーブル１の安定化を図ることができ、更に、安定化を目的とした脚１３，１４，１５の配置によってユーザの足が干渉しやすくなるのを抑えることができる。従って、安定性及び利便性の双方に優れたテーブル１を構成することができる。
＜第二実施例＞
続いて、第二実施例について、図７〜図１１を用いて説明する。図７〜図１１は、第二実施例のテーブル２の構成を示した図であり、図１１（ａ）は、天板１１の一部が折り畳まれた状態でのテーブル２の側面図であって、折り畳まれた第二の天板構成体１１２の法線方向から見た側面図であり、図１１（ｂ）は、折り畳まれた第二の天板構成体１１２に平行な方向から見た側面図である。尚、図９においては、跳ね上げ機構を分かり易く図示するため、モニタ２９及び固定具２３１の図示を省略する。
【００６４】
第二実施例のテーブル２は、モニタの接続部位に特徴を有するものであり、天板１１のより下方の構成については、第一実施例のテーブル１と同一構成である。従って、以下では、第二実施例のテーブル２における第一実施例のテーブル１と同一構成部位については、第一実施例と同一符号を付して、説明を省略する。
【００６５】
本実施例のテーブル２は、天板１１と、天板１１の裏面に設けられた収納箱１２と、天板１１の裏面に第一実施例と同パターンで立設された三本の脚１３，１４，１５と、天板１１表面に設けられたモニタ固定台２１，２２，２３と、モニタ固定台２１に取り付けられたモニタ２７と、モニタ固定台２２に取り付けられたモニタ２８と、モニタ固定台２３に取り付けられたモニタ２９と、を備える。
【００６６】
モニタ固定台２１は、第一実施例のモニタ固定台１６と同様、中空状の三角柱形状に構成されており、収納箱１２と共に、パーソナルコンピュータを収納するための内部空間を形成する。即ち、モニタ固定台２１は、収納箱１２に対応する位置で、第一の天板構成体１１１の表面に取り付けられている。このモニタ固定台２１は、例えば、第一の天板構成体１１１に螺子止めされて、天板１１に着脱可能に取り付けられる。
【００６７】
一方、モニタ固定台２２，２３は、モニタ固定台２１よりも天板１１の径方向外側に設けられている（図１０，図１１等参照）。具体的に、モニタ固定台２２は、脚１４が接続された天板１１裏面の地点Ｐ１４と脚１５が接続された天板１１裏面の地点Ｐ１５とを結ぶ線分の中央地点に対応する第一の天板構成体１１１の表面に設けられており、このモニタ固定台２２には、表示面の角度調整機能を有した固定具２２１を通じて、モニタ２８が取り付けられている。詳述すると、モニタ２８は、脚１３，１４，１５を結ぶ三角形Ｔｒの脚１４と脚１５とを結ぶ線分（辺）に沿って、表示面の角度を調整可能に固定具２２１に取り付けられている。
【００６８】
同様に、モニタ固定台２３は、脚１３が接続された天板１１裏面の地点Ｐ１３と脚１５が接続された天板１１裏面の地点Ｐ１５とを結ぶ線分の中央地点に対応する第一の天板構成体１１１の表面に設けられており、このモニタ固定台２３には、表示面の角度調整機能を有した固定具２３１を通じて、モニタ２９が取り付けられている。詳述すると、モニタ２９は、脚１３，１４，１５を結ぶ三角形Ｔｒの脚１３と脚１５とを結ぶ線分に沿って、表示面の角度を調整可能に固定具２３１に取り付けられている。
【００６９】
一方、折線Ｌに沿って配置されるモニタ２７は、モニタ固定台２１に対して上方向に回動可能に取り付けられたアーム２１１を通じて、モニタ固定台２１に取り付けられている。アーム２１１は、アーム本体２１１ａの先端部にモニタ２７を取り付けるための固定具２１１ｂを備えた構成にされ、固定具２１１ｂは、モニタ２７の表示面の角度を調整可能な角度調整機能を備える。即ち、モニタ２７は、固定具２１１ｂを通じてアーム本体２１１ａに対し角度調整可能に取り付けられている（図８（ｂ）参照）。
【００７０】
また、アーム本体２１１ａは、固定具２１１ｂが設けられた先端部とは反対側の端部がモニタ固定台２１の屋根に金具を通じて回動可能に取り付けられた構成にされている。具体的にアーム本体２１１ａは、天板１１の表面に平行なモニタ固定台２１の上面における折線Ｌに平行な線を回転軸として回動可能に取り付けられている（図９参照）。尚、上記金具としては、例えば、蝶番を挙げることができるが、アーム本体２１１ａのモニタ固定台２１への接続態様は、この手法に限定されない。
【００７１】
このアーム本体２１１ａは、図９に示すように、天板１１が折り畳まれるとき、ユーザの手動により、上方に跳ね上げられる。このとき、アーム本体２１１ａには、モニタ２７の重量による力が、アーム本体２１１ａとモニタ固定台２１との角度が広がる方向に作用するが、金具により角度の広がりが規制され、アーム本体２１１ａは、天板１１に対して略垂直に維持される。尚、アーム本体２１１ａに対しては、垂直に維持されたアーム本体２１１ａの移動を禁止するためのストッパを設けることができる。
【００７２】
また、本実施例においては、アーム本体２１１ａが、限界まで上方向に跳ね上げられて、天板１１に対して略垂直に維持されるとき、アーム２１１及びモニタ２７は、第一の天板構成体１１１の上方に位置し、第二の天板構成体１１２の上空に侵入しないように配置される。このような位置関係により、本実施例のテーブル２は、天板１１の折り畳み時にコンパクトにまとまるように設計されている。
【００７３】
一方、天板１１が折り畳まれていないとき、アーム本体２１１ａは、モニタ固定台２１の上面に接触するように（モニタ固定台２１とアーム本体２１１ａとの角度が略ゼロとなるように）配置され、モニタ固定台２１により支持されて、モニタ２７を、モニタ２８，２９と同様に、天板１１から所定距離上方に維持する。
【００７４】
以上に、テーブル２の構成について説明したが、このテーブル２によれば、ユーザは、第二の天板構成体１１２を折り畳むとき、モニタ固定台１６から固定具１６７を外さなくても、アーム２１１を上方に跳ね上げることで簡単に、第ニの天板構成体１１２の上空からモニタ２７（第一実施例のモニタ１７に対応）を取り除くことができる。従って、本実施例のテーブル２によれば、折り畳み時の利便性が向上する。
＜第三実施例＞
続いて、第三実施例について、図１２〜図１７を用いて説明する。図１２〜図１７は、第三実施例のテーブル３に関する図である。
【００７５】
第三実施例のテーブル３は、天板１１の裏面と脚１３，１４，１５との接続地点を結んでなる三角形の各辺に対応した天板表面側の位置に設けられる各モニタ３７，３８，３９の設置態様等に特徴を有するものであり、天板１１より下方の構成については、第一実施例のテーブル１と同一である。従って、以下では、第三実施例のテーブル３における第一実施例のテーブル１と同一構成部位については、第一実施例と同一符号を付して、説明を省略する。
【００７６】
図１２〜図１７に示す本実施例のテーブル３は、天板１１と、天板１１の裏面に設けられた収納箱１２と、天板１１の裏面に第一及び第二実施例と同パターンで立設された三本の脚１３，１４，１５と、天板１１表面に設けられたモニタ固定台３０と、アーム３５，３６と、アーム３５，３６を介してモニタ固定台３０に取り付けられるモニタ３７，３８，３９と、を備える。
【００７７】
詳述すると、モニタ固定台３０は、図１３（ａ）（ｂ）に示すように、第一の天板構成体１１１に固定された第一の固定台構成体３１と、第一の固定台構成体３１から着脱可能な第二の固定台構成体３２とを備えた構成にされている。但し、図１３においては、モニタ固定台３０の構成を明らかにするために、アーム３５，３６及びモニタ３７，３８，３９の図示を省略する。図１３（ａ）は、アーム３５，３６及びモニタ３７，３８，３９の図示を省略したテーブル３の上面図であり、図１３（ｂ）は、第二の固定台構成体３２の第一の固定台構成体３１への装着態様を示した図である。
【００７８】
モニタ固定台３０は、第二の固定台構成体３２が第一の固定台構成体３１に装着されることによって完成し、第一及び第二実施例のモニタ固定台１６，２１と同様に、概ね角が取られた中空の三角柱状の形態で、収納箱１２と共に、パーソナルコンピュータを収納するための内部空間を形成する。
【００７９】
この第一の固定台構成体３１は、折線Ｌに沿う側部に開口部３１１を有した構成にされ（図１３（ｂ）及び図１４参照）、更に、屋根部分に、後述するアーム３５を収容するための矩形状の開口部３１２を有した構成にされている。開口部３１２は、折線Ｌに対して垂直な方向に平行に形成されている。この他、第一の固定台構成体３１は、第一及び第二実施例と同様に、底部が開口された構成にされている（図示せず）。
【００８０】
この第一の固定台構成体３１における開口形状の底部は、第一及び第二実施例と同様に、第一の天板構成体１１１に設けられた孔を通じて収納箱１２と連通される。
一方、開口部３１１，３１２は、図１３（ａ）及び図１４に示すように、第二の固定台構成体３２が第一の固定台構成体３１に装着されることによって、閉塞される。
【００８１】
第二の固定台構成体３２は、第一の固定台構成体３１の開口部３１１を閉塞するための側部閉塞体３２１と、第一の固定台構成体３１の開口部３１２を閉塞するための上部閉塞体３２２と、を備える。
【００８２】
具体的に、第二の固定台構成体３２は、開口部３１１に対応する形状の側部閉塞体３２１に対して垂直に上部閉塞体３２２が結合された構成にされている。この上部閉塞体３２２は、図１３（ｂ）に示すように、第一の固定台構成体３１への第二の固定台構成体３２の挿入方向先端が一部欠けた矩形形状、換言すれば概略Ｕ字形状に構成されている。
【００８３】
ユーザは、上部閉塞体３２２を第一の固定台構成体３１への挿入方向に向けた状態で、側部閉塞体３２１を開口部３１１に嵌め込むようにして、第二の固定台構成体３２を第一の固定台構成体３１に装着する。この装着行為により、開口部３１１及び開口部３１２は、第二の固定台構成体３２によって閉塞される。
【００８４】
但し、第二の固定台構成体３２の上部閉塞体３２２は、上述したようにＵ字形状にされているため、第二の固定台構成体３２を第一の固定台構成体３１に装着しても、開口部３１２の全体が閉塞されるわけではなく、一部は閉塞されずに残る。第一の固定台構成体３１と第二の固定台構成体３２との境界に位置する、この閉塞されない開口部３１２の部位は、ケーブルＣＢをモニタ固定台３０の外側から内側に配線するための貫通孔３０１として用いられる。
【００８５】
具体的に、ユーザは、次のような手法で貫通孔３０１にケーブルＣＢを通すことができる。即ち、ユーザは、図１３（ｂ）に示すように、第二の固定台構成体３２を第一の固定台構成体３１から取り出した状態で、第一の固定台構成体３１の内部空間にパーソナルコンピュータを配置し、アーム３５に取り付けられたモニタ３７から延びる信号入力用ケーブルや電源コード等のケーブルＣＢを、パーソナルコンピュータやモニタ固定台３０内側に設けられたコンセントに接続する。尚、本実施例においても、モニタ固定台３０及び収納箱１２によって形成されるパーソナルコンピュータを収納するための内部空間には、コンセントが設けられるものとする。
【００８６】
そして、この状態で、ケーブルＣＢを、第二の固定台構成体３２が第一の固定台構成体３１に装着された際に貫通孔３０１が形成される領域に配置する。この後、第二の固定台構成体３２を第一の固定台構成体３１に装着することにより、ケーブルＣＢを、貫通孔３０１を貫通するように配線する。本実施例では、第一及び第二の固定台構成体３１，３２を上記構成とすることにより、ケーブルＣＢを簡単にモニタ固定台３０内部に配線することができるようにしている。
【００８７】
更に、細部について言及すれば、第二の固定台構成体３２の側部閉塞体３２１には、図１４に示すように、キーボードやポインティングデバイス等の操作デバイスとパーソナルコンピュータとを結ぶケーブルを通すための貫通孔３２１ａが設けられている。同様に、モニタ３８，３９がアーム３６を通じて接続される第一の固定台構成体３１の二つの側部には、夫々、パーソナルコンピュータと操作デバイスとを結ぶケーブルを通すための貫通孔３１５（図１５参照）が、その側部の下位領域に設けられている。尚、図１５は、アーム３６及び貫通孔３１５を拡大して示した図である。但し、図１５においては、モニタ３７，３８，３９及び操作デバイスの図示を省略する。
【００８８】
この他、貫通孔３１５を備える側部には、併せて、アーム３６の固定位置に隣接して、モニタ３８，３９から延びるケーブルを、上記内部空間に配線するための貫通孔３１６が設けられている。
【００８９】
このような構成により、本実施例では、モニタ３８，３９から延びるケーブルについても、貫通孔３１６を通じて上記内部空間に配線することができ、更には、モニタ３８，３９を制御するパーソナルコンピュータを操作するための操作デバイス（キーボード等）とパーソナルコンピュータとを結ぶケーブルを、貫通孔３１５を通じて配線することができるようにしている。
【００９０】
この他、第二の固定台構成体３２の上部閉塞体３２２の上面には、この面にアーム３５が接触しないように、この面とアーム３５との間に空隙を形成するための突起状の空隙形成体３２２ａ，３２２ｂが設けられている。
【００９１】
上述したように、第一の固定台構成体３１に第二の固定台構成体３２が装着された状態では、開口部３１２が上部閉塞体３２２によって概ね閉塞されて、モニタ固定台３０は、その上面が、開口部３１２に対応する位置において凹んだ形状にされる。以下、モニタ固定台３０の上面において窪んだ貫通孔３０１の周囲領域を凹部３０３と表現する。アーム３５は、貫通孔３０１に隣接して、この凹部３０３に回動可能に取り付けられ、モニタ３７の使用時には、この凹部３０３に収容される位置まで、ユーザの手動により回動される。
【００９２】
空隙形成体３２２ａ，３２２ｂは、この状態でアーム３５が、凹部３０３の底面を構成する上部閉塞体３２２の上面に接触しないように設けられている。この空隙形成体３２２ａ，３２２ｂは、具体的に、弾性材であるゴム材によって構成される。このゴム材によってテーブル３は、図１６に示すように、上部閉塞体３２２の上面には、アーム３５が接触しない構成にされている。本実施例では、この構成によって、アーム３５の凹部３０３への収容時に、アーム３５と上部閉塞体３２２上面とが接触して大きな音や衝撃が発生しないようにしている。
【００９３】
続いて、図１５に示すアーム３６について説明する。このアーム３６は、二つ設けられている。具体的に、各アーム３６は、対応するモニタ３８，３９を配置すべきモニタ固定台３０の側部に固定されており、図１５に示すように、アーム本体３６１と、固定具３６３とを備えた構成にされている。
【００９４】
アーム本体３６１は、モニタ固定台３０の側部に固定される第一部位３６１ａと、第一部位３６１ａの下端から直角に延設される第二部位３６１ｂとを備え、概略Ｌ字形状にされている。具体的に、第一部位３６１ａは、貫通孔３１６に対応する位置が空にされてモニタ固定台３０の側部に固定されている。
【００９５】
また、第一部位３６１ａは、アーム３６がモニタ固定台３０に固定された状態で、第二部位３６１ｂが、天板１１の表面から所定量空隙を有した位置（高さ）に配置されるサイズで構成されている。この他、固定具３６３は、第二部位３６１ｂの先端部に固定されている。
【００９６】
このようなアーム３６の構成によって、アーム３６の固定具３６３に装着されるモニタ３８，３９は、天板１１の表面から高さ方向に所定量空隙を有した状態でテーブル３に配置されている。
【００９７】
尚、二つアーム３６の夫々には、設置位置に対応したモニタ３８，３９のいずれか一方が取り付けられる。この他、固定具３６３は、モニタの表示面の角度を調整するための調整機構を備えており、アーム３６に接続されるモニタ３８，３９は、この調整機構によって、その表示面が、ユーザにとって好ましい角度に調整される。
【００９８】
一方、アーム３５は、図１７に示すように、モニタ３７を接続するための固定具３５１と、アーム本体３５３と、ヒンジ３５５とを備えた構成にされ、ヒンジ３５５は、天板１１から突出したモニタ固定台３０の屋根部分に接続された構成にされている。
【００９９】
詳述すると、固定具３５１は、アーム本体３５３の一端に取り付けられている。また、ヒンジ３５５は、固定具３５１が取り付けられたアーム本体３５３の端部とは反対側の端部に取り付けられている。
【０１００】
このヒンジ３５５は、第一の固定台構成体３１の開口部３１２に隣接して設けられた係合部３１９の側壁に接続される。係合部３１９は、第一の固定台構成体３１の最上面よりも一段低い位置に設けられており、第一の固定台構成体３１に第二の固定台構成体３２が装着された際に、第二の固定台構成体３２先端を、下から上方向に支持する役目を果たす。
【０１０１】
更に詳述すれば、ヒンジ３５５は、折線Ｌに平行な回転軸を有するように、係合部３１９の側壁に固定されている。このようなヒンジ３５５の機能によって、アーム３５は、折線Ｌに平行な回転軸を有した構成にされ、折線Ｌに直交する仮想平面に沿って、モニタ固定台３０の上面、ひいては、天板１１に対して回動可能に構成されている。尚、アーム３５は、モニタ固定台３０の上面に近づく方向に最大限回動された状態では、図１２（ａ）（ｂ）に示すようにアーム本体３５３が凹部３０３に収容されるように配置される。
【０１０２】
詳述すると、モニタ固定台３０の上面に近づく方向に最大限回動された状態において、アーム３５は、上述したように、空隙形成体３２２ａ，３２２ｂを介して、モニタ固定台３０に支持される（図１６参照）。この状態でアーム本体３５３（具体的には第一部位３５３ａ）は、その上面が、凹部３０３周囲のモニタ固定台３０の上面と同一高さとなるように配置される。即ち、凹部３０３及びアーム本体３５３は、アーム３５がモニタ固定台３０の上面に近づく方向に最大限回動された状態で、凹部３０３周囲のモニタ固定台３０の上面と同一平面上に、第一部位３５３ａの上面が配置されるように構成されている。このように面を揃えているのは、モニタ３７の使用時において、モニタ固定台３０の上に荷物等をユーザが置けるようにようにして、テーブル３の利便性を高めるためである。
【０１０３】
また、固定具３５１は、モニタ３７を保持するものであり、モニタ３７の表示面の角度を調整可能な構成にされている。この他、アーム本体３５３は、ヒンジ３５５が固定される第一部位３５３ａと、第一部位３５３ａから垂直な方向に延びる第二部位３５３ｂと、この第二部位３５３ｂから第一部位３５３ａとは対称的な方向に延びる第三部位３５３ｃと、を有した構成にされている。
【０１０４】
第一部位３５３ａは、ヒンジ３５５の回転軸とは垂直な方向の長さが、モニタ固定台３０に対するヒンジ３５５の固定部位からモニタ固定台３０の外周までの距離よりも長いサイズで構成されている。これによって、アーム３５は、モニタ固定台３０の上面に近づく方向に最大限回動された状態において、図１６に示すように第二部位３５３ｂがモニタ固定台３０の側部に、微少量の空隙を有した状態で対向配置されるように構成されている。
【０１０５】
また、第二部位３５３ｂは、アーム３５がモニタ固定台３０の上面に近づく方向に最大限回動された状態において、第二実施例と同様に（図８（ｂ）参照）、その下端が、天板１１よりも所定量高い位置に配置されるようなサイズで構成されている。更に、第三部位３５３ｃは、アーム３５がモニタ固定台３０の上面に近づく方向に最大限回動された状態において、第二部位３５３ｂの下端から天板１１の径方向に延在するように設けられており、固定具３５１は、この第三部位３５３ｃの先端上面に固定されている。
【０１０６】
このような第二部位３５３ｂ及び第三部位３５３ｃの構成により、アーム３５は、モニタ固定台３０の上面に近づく方向に最大限回動された状態において、モニタ３７を天板１１の表面から所定量空隙を有した状態で保持するように配置される。
【０１０７】
即ち、アーム３５がモニタ固定台３０の上面に近づく方向に最大限回動された状態において、モニタ３７は、天板１１の上方（具体的には、折り畳み可能な天板１１の部位である第二の天板構成体１１２の上方）において、天板１１の表面から所定量の空隙を有した状態で配置される。また、アーム３５は、上記方向とは反対方向（換言すれば凹部３０３から離れる方向）に回動されると、第一の天板構成体１１１の上方に跳ね上げられた状態で停止する。このとき、アーム３５及びアーム３５に取り付けられたモニタ３７は、第一の天板構成体１１１を上方に射影した空間内に収まる。即ち、第一の天板構成体１１１の上方空間からはみ出ないように配置される。
【０１０８】
尚、アーム３５は、例えば、所定角度以上開かないヒンジ３５５により、上述したように跳ね上げられた状態で停止する構成にすることができる。また、アーム３５は、第一の固定台構成体３１と接触して、その動きを規制され、上述したように跳ね上げられた状態で停止する構成にされてもよい。
【０１０９】
また、アーム３５がモニタ固定台３０の上面に近づく方向に最大限回動された状態における天板１１とモニタ３７との隙間は、操作デバイスを、その隙間に挿入可能なサイズに設定されるのが好ましい。このような隙間を形成すれば、ユーザが、モニタ３７下方にもぐりこませるようにキーボード等の操作デバイスを配置することができ、テーブル３を有効に活用することができる。
【０１１０】
この他、アーム本体３５３は、固定具３５１に近接した部位に、貫通孔３５３ｄを備えた構成にされており、モニタ３７から延びるケーブルＣＢの一群は、この貫通孔３５３ｄに挿通されて、貫通孔３０１内に配線される。この点について、図１６を用いて説明すると、貫通孔３５３ｄは、アーム３５がモニタ固定台３０の上面に近づく方向に最大限回動されて、第一部位３５３ａが空隙形成体３２２ａ，３２２ｂに接触し支持されている状態で、モニタ固定台３０の上面（換言すれば、上部閉塞体３２２の上面）とこの面に対向する第一部位３５３ａの下面との間に形成される空隙に連通するように、第二部位３５３ｂに設けられている。
【０１１１】
空隙形成体３２２ａ，３２２ｂは、モニタ固定台３０の上面（上部閉塞体３２２の上面）と第一部位３５３ａの下面との間に、ケーブルＣＢの直径よりも十分大きいサイズの空隙を形成するように構成されており、貫通孔３５３ｄを通じて、この空隙に配線されたケーブルＣＢの一群は、アーム３５からの圧力を受けることなく、アーム本体３５３の下方を通って、ヒンジ３５５の手前に位置する貫通孔３０１内に配線される。
【０１１２】
本実施例では、このようにして貫通孔３５３ｄ及び空隙を設けてケーブルＣＢの配線経路を確保することにより、モニタ３７の使用時に、外部から目立たないようにケーブルＣＢを配線できるようにしつつ、ケーブルＣＢがアーム３５からの圧力によって傷つかないようにしている。
【０１１３】
また、このようにケーブルＣＢを配線すると、アーム３５の回転軸に隣接して貫通孔３０１があり、この貫通孔３０１によってケーブルＣＢの動きが制限されるので、例えば、アーム３５の回動によってケーブルＣＢが大きく動いてアーム３５に絡まるのを抑えることができる。この他には、ケーブルＣＢが大きく動くことにより、例えば、信号入力用ケーブルとパーソナルコンピュータとの間に接触不良が生じるのを抑えることができる。
【０１１４】
この他、本実施例によれば、モニタ３７がアーム３５に角度調整可能に接続されているが、この調整機構に近接しては、上述した貫通孔３５３ｄが設けられているので、表示面の角度調整に伴うケーブルＣＢの動きを、貫通孔３５３ｄによって制限することができる。よって、この貫通孔３５３ｄによっても、ケーブルＣＢが大きく動くことによる接触不良を抑えることができる他、ケーブルＣＢが大きく動くことによって、ユーザが不快に感じるのを抑えることができる。
【０１１５】
以上に、第三実施例のテーブル３について説明したが、このテーブル３においては、ケーブルＣＢの配線によるトラブルを抑制することができる点で、第二実施例のテーブル２よりも更に優れている。また、このテーブル３によれば、第二実施例のテーブル２に対しても同様に言うことができるが、折り畳み可能な第二の天板構成体１１２の上方に配置されるモニタ３７を取り外さなくても、アーム３５を跳ね上げることで、モニタ３７を、天板構成体１１１の上方空間からはみ出ないように配置することができるので、オフィス空間を有効活用することができると共に、部屋間でテーブル３を移動させる際に、モニタ３７がドアに引っ掛かって、モニタ３７を取り外さなければドアを通すことができないといった問題が生じるのを抑えることができる。即ち、本実施例のテーブル３によれば、運搬の利便性についても向上する。
【０１１６】
尚、「特許請求の範囲」に記載のボックスは、本実施例において、パーソナルコンピュータを収納するための内部空間を形成するモニタ固定台３０及び収納箱１２の組合せに対応し、第一のボックス構成体は、第一の固定台構成体３１に対応し、第二のボックス構成体は、第二の固定台構成体３２に対応する。また、ボックス貫通孔は、貫通孔３０１に対応し、アーム貫通孔は、貫通孔３５３ｄに対応する。
＜第四実施例＞
続いて、第四実施例のテーブル４の構成について図１８を用いて説明する。第四実施例のテーブル４は、円盤状の天板４１の裏面に、三本の脚４３，４４，４５が、図１８に示すような位置関係で立設されている点で、第一実施例と異なる。
【０１１７】
天板４１は、円盤状の板材で構成され、天板１１の外周を弧とする円の中心から外れた位置に、複数の折線Ｌ１，Ｌ２を有し、折線Ｌ１，Ｌ２を境界として分割された構成にされている。即ち、天板４１は、第一の天板構成体４１１と第二の天板構成体４１２と第三の天板構成体４１３とにより円盤形状に構成され、第一の天板構成体４１１と第二の天板構成体４１２と第三の天板構成体４１３とが天板４１の裏面において蝶番４１４により連結された構成にされている。この構成により、天板４１は、第二の天板構成体４１２及び第三の天板構成体４１３を、第一の天板構成体４１１に対して下方に折り畳み可能に構成されている。
【０１１８】
詳述すると、第一の天板構成体４１１の裏面には、折線Ｌ１に対応する位置に、第二の天板構成体４１２を下方から支持するための支持材４２２が設けられている。また、折線Ｌ２に対応する位置には、第三の天板構成体４１３を下方から支持するための支持材４２３が設けられている。これら支持材４２２，４２３は、天板４１に対して、天板４１の周方向に回動可能に設けられており、支持材４２２は、第二の天板構成体４１２の折り畳み時に、ユーザの手動により、第一の天板構成体４１１下方まで回動され、支持材４２３は、第三の天板構成体４１３の折り畳み時に、第一の天板構成体４１１下方まで回動される。
【０１１９】
また、三本の脚４３，４４，４５の夫々は、天板４１の裏面に対して垂直に立設配置されている。これら脚４３，４４，４５における天板４１裏面との接続端点とは反対側の端点には、キャスタ４３１，４４１，４５１が取り付けられており、これによって、テーブル４は、ユーザが容易に運搬可能な構成にされている。尚、脚４３，４４，４５は、天板４１表面が水平となるように、同一長さで構成されている。
【０１２０】
また、脚４３，４４，４５の配置について詳述すると、これら脚４３，４４，４５は、第一の天板構成体４１１の裏面において、天板４１の外周を弧とする円の中心Ｏと中心が同一の同心円上に立設され、天板４１の裏面と脚４３，４４，４５との接続地点Ｐ４３，Ｐ４４，Ｐ４５を結んでなる三角形Ｔｒが、非正三角形であって、複数の折線Ｌ１，Ｌ２の内、折線Ｌ１に平行な辺を有する二等辺三角形となるように配置されている。
【０１２１】
具体的に、本実施例では、脚４３，４４を、折線Ｌ１に平行な位置関係で、第一の天板構成体４１１裏面に配置し、脚４５を、折線Ｌ２の近傍に配置している。更に言えば、本実施例では、第一の天板構成体４１１が長細い形状である関係から、折線Ｌ１に平行な辺を二等辺三角形の底辺とせずに、三角形Ｔｒが、第一の天板構成体４１１の長尺方向に、細長い二等辺三角形状となるように、脚４３，４４，４５を配置している。
【０１２２】
即ち、脚４３と脚４４との間隔Ｄ４と脚４４と脚４５との間隔Ｄ５とを同じにし（Ｄ４＝Ｄ５）、脚４３と脚４５との間隔Ｄ６を、間隔Ｄ４，Ｄ５よりも短く設定している（Ｄ６＞Ｄ４＝Ｄ５）。本実施例では、このように脚４３，４４，４５を配置することで、第一の天板構成体４１１の形状に合わせて、脚４３，４４，４５を配置し、テーブル４の安定化を図っている。
【０１２３】
本実施例によれば、天板４１を複数箇所で折り畳むことができることから、未使用時にテーブル４をコンパクトに畳んで保管することができる。従って、オフィス空間を有効活用することができる。また、本実施例によれば、テーブル４を、コンパクトな設計にしながら、テーブル４の安定化を図ることができるので、利便性の高いテーブル４を消費者に提供することができる。
【０１２４】
以上、第一実施例から第四実施例のテーブル１，２，３，４の構成について説明したが、本発明は、上記実施例に限定されるものではなく、種々の態様を採ることができる。例えば、脚１３，１４，１５及び脚４３，４４，４５は、必ずしも三角形Ｔｒが二等辺三角形となるように配置される必要はない。例えば、脚４５は、同心円上で、図１８に示す位置よりも更に折線Ｌ２に近い位置に配置されてもよい。
【符号の説明】
【０１２５】
１，２，３，４…テーブル、１１，４１…天板、１２…収納箱、１３，１４，１５，４３，４４，４５…脚、１６，２１，２２，２３，３０…モニタ固定台、１７，１８，１９，２７，２８，２９，３７，３８，３９…モニタ、１１１，１１２，４１１，４１２，４１３…天板構成体、１１３，１２８，４１４…蝶番、１２７，４２２，４２３…支持材、１３１，１４１，１５１，４３１，４４１，４５１…キャスタ、１６７，１６８，１６９，２１１ｂ，２２１，２３１，３５１，３６３…固定具、３５，３６，２１１…アーム、２１１ａ，３５３，３６１…アーム本体、Ｌ，Ｌ１，Ｌ２…折線、３１，３２…固定台構成体、３０１，３１５，３１６，３２１ａ，３５３ｄ…貫通孔、３０３…凹部、３１１，３１２…開口部、３１９…係合部、３２１…側部閉塞体、３２２…上部閉塞体、３２２ａ，３２２ｂ…空隙形成体、３５５…ヒンジ、ＣＢ…ケーブル
【図１】
2011115539.tif 000003
【図２】
2011115539.tif 000004
【図３】
2011115539.tif 000005
【図４】
2011115539.tif 000006
【図５】
2011115539.tif 000007
【図６】
2011115539.tif 000008
【図７】
2011115539.tif 000009
【図８】
2011115539.tif 000010
【図９】
2011115539.tif 000011
【図１０】
2011115539.tif 000012
【図１１】
2011115539.tif 000013
【図１２】
2011115539.tif 000014
【図１３】
2011115539.tif 000015
【図１４】
2011115539.tif 000016
【図１５】
2011115539.tif 000017
【図１６】
2011115539.tif 000018
【図１７】
2011115539.tif 000019
【図１８】
2011115539.tif 000020
【図１９】
2011115539.tif 000021